(57)【要約】【課題】  簡単な構成で光ピックアップを２方向に移動させることが可能なホログラムを用いた記録媒体の再生装置を提供する。【解決手段】  互いに平行に配置されたスクリュー軸１４とガイド部材１５からなる第１の移動手段を駆動することにより、光ピックアップ２０を搭載した可動ベース１６をＸ方向に移動させることができる。また前記可動ベース１６上に回動自在に設けられた回転支持部材１７と前記回転支持部材１７に設けられた支持アーム１８とからなる第２の移動部材をα１またはα２方向に回動させることにより、前記光ピックアップ２０をＸ１方向またはＸ２方向に移動させることができる。２種類の移動部材のうち少なくとも一方を回動させる構成としたことから、再生装置を小型化することができるようになる。【選択図】図１
2006228279.tif 000002
【特許請求の範囲】
【請求項１】
記録媒体に記録されたホログラム情報を読み出す光ピックアップと、前記光ピックアップを搭載するとともに移動自在に設けられた可動ベースと、前記可動ベースを記録媒体に接近および離間する移動方向に移動させる第１の移動手段と、を備えたホログラムを用いた記録媒体の再生装置であって、
前記可動ベースには回動自在に支持された支持アームが設けられており、この支持アームの先端に前記光ピックアップが設けられていることを特徴とするホログラムを用いた記録媒体の再生装置。
【請求項２】
前記可動ベースに、前記支持アームを回動させて前記光ピックアップを前記移動方向と直交する方向に移動させる第２の移動手段が設けられていることを特徴とする請求項１記載のホログラムを用いた記録媒体の再生装置。
【請求項３】
前記支持アームが二股に分かれた一対のアームを有して高さ方向において対向しており、前記光ピックアップが一方のアームの対向面に設けられた発光手段と、他方のアームの対向面に設けられた受光手段とであることを特徴とする請求項１又は２記載のホログラムを用いた記録媒体の再生装置。
【請求項４】
前記支持アームが、互いに平行に延びる一対の支持アームであることを特徴とする請求項１ないし３のいずれか１項記載のホログラムを用いた記録媒体の再生装置。
【請求項５】
前記一対の支持アームが、同期しながら同一方向に回動可能に設けられていることを特徴とする請求項４記載のホログラムを用いた記録媒体の再生装置。
【発明の詳細な説明】
【技術分野】
【０００１】
本発明は、ホログラムを利用した記録媒体の再生装置に関する。
【背景技術】
【０００２】
ホログラム用の記録媒体の種類としては反射型と透過型とが存在しており、これらは例えば下記の特許文献１などに記載されている。
【０００３】
反射型の記録媒体に記録されたホログラム情報を読み出す場合には、参照光を発する発光手段（光源）と前記記録媒体から出力される回折光を受光する受光手段（撮像部材）が共に前記記録媒体の記録面と対向する位置に設けられている。
【０００４】
通常、前記発光手段と受光手段とは同じ可動ベース上に並ぶように搭載されており、前記記録面に沿って記録媒体上の各記録位置に移動できるようになっている。
【０００５】
前記発光手段から発せられた参照光は、記録媒体上の任意の記録位置を照光する。前記参照光は前記記録位置に記録されている干渉縞において回折させられる。前記受光手段が、このとき生じた回折光を受光することにより、前記記録媒体上の任意の記録位置に多重に記録されているホログラム情報の中から一のホログラム情報を読み出すことが可能とされている。
【特許文献１】特開平１０−２５４３３７号公報
【発明の開示】
【発明が解決しようとする課題】
【０００６】
前記記録媒体が回転式のディスクの場合には、光ピックアップを搭載した可動ベースを半径方向の一方向にのみ移動させるだけでディスク上の全ての記録位置に前記光ピックアップを移動させることが可能である。
【０００７】
しかし、前記記録媒体がディスクではなく、カード状またはチップ状など固定式の場合には、前記可動ベースを一方向に移動させただけでは前記光ピックアップを前記記録媒体上の全て記録位置に移動させることは不可能である。すなわち前記可動ベースを平面的に、つまり互いに直交するＸ方向およびＹ方向の２方向に移動させることが必要であるが、可動ベースを一軸方向に移動させる送り手段としてはガイド部材とスクリュー軸を用いた構成が一般的であるところ、２方向に移動させるには前記送り手段が各方向ごとに必要であり、記録媒体再生装置が小型化しにくいという問題がある。
【０００８】
またホログラムを用いた記録媒体再生装置では、前記可動ベース上の光ピックアップと記録媒体との間の相対的な位置関係を高精度に維持しないとホログラム情報を正しく捕えることができない。特に、反射型の記録媒体の場合には、前記光ピックアップと記録媒体との間の相対的な位置関係がずれると、前記光ピックアップを構成する前記発光手段と受光手段のそれぞれについての調整が必要となり、そのための機構が複雑化しやすくコスト的にも安価にすることが困難という問題がある。
【０００９】
他方、透過型の記録媒体用の再生装置の場合には、前記発光手段と受光手段とが前記記録媒体を挟んで対向するように配置されるため、とりわけ前記発光手段側を調整することで受光手段は回折光を捕えることが可能となる。
【００１０】
しかしながら、常に発光手段と受光手段とが高精度に対向し合う状態を維持しながらＸ方向およびＹ方向に一緒に移動させる機構を構築することが困難であった。
【００１１】
本発明は上記従来の課題を解決するためのものであり、簡単な構成で光ピックアップを２方向に移動させることが可能なホログラムを用いた記録媒体の再生装置を提供することを目的としている。
【００１２】
また本発明は透過型の記録媒体の再生に適したホログラムを用いた記録媒体の再生装置を提供することを目的としている。
【課題を解決するための手段】
【００１３】
本発明は、記録媒体に記録されたホログラム情報を読み出す光ピックアップと、前記光ピックアップを搭載するとともに移動自在に設けられた可動ベースと、前記可動ベースを記録媒体に接近および離間する移動方向に移動させる第１の移動手段と、を備えたホログラムを用いた記録媒体の再生装置であって、
前記可動ベースには回動自在に支持された支持アームが設けられており、この支持アームの先端に前記光ピックアップが設けられていることを特徴とする。
【００１４】
上記において、前記可動ベースに、前記支持アームを回動させて前記光ピックアップを前記移動方向と直交する方向に移動させる第２の移動手段が設けられていることが好ましい。
【００１５】
本発明では、比較的簡単な構成で発光手段と受光手段とを備えた光ピックアップを移動方向（Ｙ方向）および回動方向（Ｘ方向）の２方向に移動させることができるため、記録媒体の再生装置を小型化しやすくできる。
【００１６】
また前記支持アームが二股に分かれた一対のアームを有して高さ方向において対向しており、前記光ピックアップが一方のアームの対向面に設けられた発光手段と、他方のアームの対向面に設けられた受光手段とであることが好ましい。
【００１７】
上記手段では、発光手段と受光手段とを常に対向し合う状態とすることができるため、特に透過型の記録媒体の再生精度を高めることができる。
【００１８】
また前記支持アームが、互いに平行に延びる一対の支持アームであることを特徴とするものである。
【００１９】
この場合には、前記一対の支持アームが、同期しながら同一方向に回動可能に設けられていることが好ましい。
【００２０】
上記手段では、支持アームが回転しても常に光ピックアップを一定の方向の向けることができるため、撮像素子が映像として捕えたホログラム情報の読み出しの精度を高めることができる。
【発明の効果】
【００２１】
本発明では、第１の移動手段により記録媒体に接離可能に移動する可動ベースと、この可動ベースに回動可能に支持された支持アームを用いることにより光ピックアップを２方向に移動させる構成としたため、すなわち２種類の移動部材のうち少なくとも一方を回動させる構成としたことから記録媒体の再生装置を小型化することができる。
【００２２】
また本発明は発光手段と受光手段とを常に対向し合う状態とすることができるため、特に透過型の記録媒体の再生精度を高めることができる。
【発明を実施するための最良の形態】
【００２３】
図１は本発明のホログラムを用いた記録媒体の再生装置として第１の実施の形態の一部を示す平面図、図２は図１の２−２線における断面図である。
【００２４】
図１に示す再生装置１０Ａは、記録媒体に記録されたホログラム情報を読み出すためのものであり、例えばコンピュータ、あるいは映像再生装置などの電子機器に搭載されるものである。この記録媒体は、ディスク状、カード状、あるいはチップ状など様々な形状とすることが可能であるが、例えば、１センチ角のチップ状の場合でも１ＧＢ（＝１ギガバイト）以上と大容量である。よって、カード化又はチップ化すると携行容易な記録媒体（リムーバブル記録媒体）として非常に便利である。また記録された媒体を基として複製することは困難であり著作権保護にも有効である。
【００２５】
図１に示す第１の実施の形態には、カード状であって透過型の記録媒体１１が設けられている。前記記録媒体１１は、電子機器を覆う筐体の図示Ｙ１側に設けられた挿入口（図示せず）から挿入され、電子機器内に設けられた保持部材１３に保持されている。前記保持部材１３はＸ方向の両側の位置に対向する保持部１３Ａ，１３Ａを有しており、前記記録媒体１１の四隅がこの保持部１３Ａ，１３ＡにおいてＺ方向から挟み込むことにより保持されている。そして、図２に示すように前記記録媒体１１の底面と電子機器の底板９との間には空間が設けられており、後述するようにこの空間には支持アーム１８の下部アーム１８Ｂなどが入り込めるようになっている。
【００２６】
前記記録媒体１１のＹ２側には、図示Ｙ方向に延びる一対のスクリュー軸１４とガイド部材１５とが設けられている。前記スクリュー軸１４とガイド部材１５とは、図示Ｘ方向に所定の距離を隔て互いに平行な状態で対向配置されている。
【００２７】
前記可動ベース１６の一方（Ｘ１側）には図示Ｘ１方向に突出する一対の支持部１６Ａ、１６Ｂが設けられている。前記支持部１６Ａと支持部１６Ｂとは図示Ｙ方向に所定の距離をあけて対向し合うとともに、その対向面には図示Ｙ方向に貫通する貫通孔１６ａ，１６ｂが形成されており、この貫通孔１６ａ，１６ｂ内には前記スクリュー軸１４が挿入されている。前記貫通孔１６ａ，１６ｂの内壁には雌ねじが螺刻されており、前記スクリュー軸１４の外周面に形成された雄ねじが噛み合っている。
【００２８】
前記可動ベース１６の他方（Ｘ２方向）には、図示Ｘ２方向に突出するとともに、高さ方向（図示Ｚ方向）に所定の間隔を隔てて対向する一対の支持片１６Ｃ，１６Ｄが形成されており、この一対の支持片１６Ｃと支持片１６Ｄとの間に前記ガイド部材１５が設けられている。すなわち、前記可動ベース１６はＸ方向の両端部が前記スクリュー軸１４とガイド部材１５に支持されている。
【００２９】
前記スクリュー軸１４は電子機器内に回転自在に支持されており、その先端には歯車（図示せず）が固定されている。また電子機器内には図示しない駆動モータが設けられており、その駆動軸に設けられた歯車と前記スクリュー軸１４の前記歯車とが減速歯車などを介して連結されている。これらの歯車を介して前記駆動モータからスクリュー軸１４に回転が与えられると、その駆動力が前記スクリュー軸１４の雄ねじから前記貫通孔１６ａ，１６ｂの雌ねじに伝達されるため、前記可動ベース１６を図示Ｙ１およびＹ２方向に移動させることが可能とされている。すなわち、この電子機器内には、前記スクリュー軸１４と前記ガイド部材１５に案内されながら前記可動ベース１６をＹ方向にネジ送りする第１の移動手段が設けられている。
【００３０】
図２に示すように、前記可動ベース１６の中央部には穴１６ｃが形成されており、この穴１６ｃには回転支持部材１７が回転自在に支持されている。回転支持部材１７のフランジ部１７Ａには図示Ｙ１方向に延びる支持アーム１８が設けられている。前記支持アーム１８は高さ（Ｚ）方向において二股に別れて対向し合う上部アーム１８Ａと下部アーム１８Ｂを有している。前記上部アーム１８Ａの先端側の下面には発光手段２１が設けられ、前記下部アーム１８Ｂの先端側の上面には受光手段２２としての撮像素子が設けられている。前記発光手段２１と前記受光手段２２とは高さ方向において所定の距離を隔てつつ互いに対向する位置に設けられている。そして、記録媒体１１は前記上部アーム１８Ａの発光手段２１と下部アーム１８Ｂの受光手段２２との間に配置されている。
【００３１】
前記受光手段２１はケース２１Ａを有しており、このケース２１Ａ内に参照光（レーザー光）を発生させる光源として機能する面発光型レーザー（VCSEL；Vertical CavitySurface-Emitting Laser）と、前記参照光の大きさを拡大するビームエクスパンダと、ビームエクスパンダを通過した参照光を反射させて記録媒体１１の表面に入射する際の入射角度を調整するミラーを備えた光走査器と、反射後の参照光を集光して前記記録媒体１１上の任意の一点へ送る集束レンズなどが設けられている（いずれも図示せず）。前記受光手段（撮像素子）２２は、記録媒体で回折された再生光（回折光）の情報を読み取って電気信号に変換させるＣＣＤ又はＣＭＯＳイメージセンサなどである。なお、前記発光手段２１と受光手段２２とが透過型の記録媒体１１に記録されているホログラム情報を再生する光ピックアップ２０を形成している。
【００３２】
前記回転支持部材１７の下端部は、前記可動ベース１６の下面よりも図示Ｚ２方向に突出されており、前記下端部には歯車１７ａが固定されている。前記可動ベース１６の下面には駆動モータ１９が固定されており、その駆動軸に設けられた歯車１９ａと前記回転支持部材１７の歯車１７ａとが減速歯車１９ｂを介して連結されている。
【００３３】
このため、前記駆動モータ１９が回転すると、その駆動力が前記歯車１９ａ、減速歯車１９ｂ、歯車１７ａを介して前記回転支持部材１７に伝達されるため、前記回転支持部材１７を回転させられる。よって、前記上部アーム１８Ａと下部アーム１８Ｂとを有する支持アーム１８が、前記回転支持部材１７の中心部Ｏを中心に図１にてα１方向（Ｘ１方向）およびα２方向（Ｘ２方向）に回動させられる。このとき、前記支持アーム１８の先端に設けられた前記光ピックアップ２０がＸ１方向およびＸ２方向に移動させられる。すなわち、前記可動ベース１６には、前記光ピックアップ２０をＸ１方向およびＸ２方向に移動させる第２の移動手段が設けられている。
【００３４】
またこの記録媒体の再生装置１０Ａには、前記第１、第２の移動手段および光ピックアップの動作を制御するための制御手段が設けられている。
【００３５】
図１では、ホログラム情報が記録されている記録媒体１１上の位置が黒丸印からなる記録位置（ブックマーク）Ｍで表されている。なお、実際の記録媒体１１では前記記録位置Ｍを視覚的に確認することはできない。
【００３６】
記録媒体１１上の各記録位置Ｍは、前記回転支持部材１７の中心点Ｏから参照光が記録媒体１１を照光する位置までの距離Ｒを半径とする円弧軌跡Ｃ１，Ｃ２，・・・，Ｃｎ上に形成されている。なお、各円弧軌跡Ｃ１，Ｃ２，・・・，Ｃｎに対応する中心は、前記可動ベース１６がＹ方向に移動するときに前記回転支持部材１７の中心点Ｏが形成する移動軌跡Ｌ０−Ｌ０上の位置Ｏ１，Ｏ２，・・・，Ｏｎである。すなわち、前記円弧軌跡Ｃ１に対応する中心は位置Ｏ１であり、前記円弧軌跡Ｃ２に対応する中心は位置Ｏ２であり、・・・前記円弧軌跡Ｃｎに対応する中心は位置Ｏｎである。
【００３７】
また各記録位置Ｍは、Ｘ方向およびＹ方向のそれぞれに所定のピッチをあけて略マトリックス状に配置形成されている。このため、各記録位置Ｍにはアドレスが付してあり、前記アドレスを指定するとにより任意の記録位置Ｍを示すことが可能とされている。例えば、図１に示す記録位置Ｍａ１はアドレス（Ｌ０，Ｃ１）を指定すればよく、記録位置Ｍｂ２はアドレス（Ｌ＋１，Ｃ２）を指定すればよい。
【００３８】
なお、各記録位置Ｍとこれらに対応する各アドレスは、例えばアドレス（Ｌ０，Ｃ１）を基準記録位置Ｍａ１とし、この基準記録位置Ｍａ１に記録しておくようにすればよい。よって、再生の際には、光ピックアップ２０が最初に前記基準記録位置Ｍａ１に記憶されているホログラム情報を読み込むようにすれば、各記録位置Ｍとこれに対応する各アドレスを最初に知ることが可能となる。
【００３９】
各記録位置Ｍには複数のホログラム情報が多重記録されている。各ホログラム情報は記録媒体１１内に互いに異なる角度（記録角度）で書き込まれており、記録角度ごとに１つのページを形成している。すなわち、各記録位置Ｍにはホログラム情報を記録した複数のページが記録角度ごとに多重に記録されている。
【００４０】
そして、再生時には前記参照光の入射角度または波長を変えることにより、各記録位置Ｍに多重に記録されている個々のホログラム情報をページごとに読み出せるようになっている。なお、以下の動作におけるホログラム情報の読み出しは、参照光の入射角度を変えることによって行われる場合を示す。
【００４１】
上記第１の実施の形態に示す記録媒体の再生装置の動作について説明する。
例えば、前記記録媒体１１上の記録位置Ｍｂ２（アドレス（Ｌ＋１，Ｃ２））の第Ｎページに記録されている情報を読み出す場合について説明する。
【００４２】
まず制御手段は、前記第１の移動手段を動作させて前記可動ベース１６をＹ方向に移動させることにより、前記光ピックアップ２０を前記基準記録位置Ｍａ１と対向する位置に移動させる。すなわち、可動ベース１６は回転支持部材１７の中心点Ｏが前記移動軌跡Ｌ０−Ｌ０上の位置Ｏ１に至るように移動させられる。そして、前記光ピックアップ２０を構成する前記発光手段２１と受光手段２２を動作させることにより、前記基準記録位置Ｍａ１に記録されているホログラム情報の中から前記記録位置Ｍｂ２に対応するアドレス（Ｌ＋１，Ｃ２）を取得する。
【００４３】
次に、前記制御手段は、先ほど読み出したアドレス（Ｌ＋１，Ｃ２）のうちの一方の値Ｃ２に基づいて前記第１の移動手段を動作させることにより、前記回転支持部材１７の中心点Ｏが前記移動軌跡Ｌ０−Ｌ０上の位置Ｏ２に至るように前記可動ベース１６をＹ２方向に移動させる。これにより、前記光ピックアップ２０は、前記円弧軌跡Ｃ２上（図１のＭａ２の位置）に移動させることができる。
【００４４】
次に、前記制御手段は他方の値Ｌ＋１に基づいて前記第２の移動手段を動作させることにより、前記支持アーム１８を図示α２方向（Ｘ２方向）に回動させ、前記光ピックアップ２０をアドレス（Ｌ＋１，Ｃ２）に移動させる。これにより、前記光ピックアップ２０を所望の記録位置Ｍｂ２に対向させることができる。
【００４５】
最後に、光ピックアップ２０内に搭載されている光走査器のミラー角度を前記第Ｎページに対応する所定の角度に設定して参照光を発する。そして、前記受光手段２２が記録媒体１１から出力される回折光を取得してこれを電気信号に変換することにより、前記記録位置Ｍｂ２に記録されている第Ｎページのホログラム情報の読み出しが行われる。
【００４６】
なお、先に前記第２の移動手段を動作させて支持アーム１８をα２方向に振っておき、その後に前記第１の移動手段を動作させて前記可動ベース１６をＹ２方向に移動させてアドレス（Ｌ＋１，Ｃ２）の位置に移動させるようにしてもよい。
【００４７】
このように、本願発明では２種類の移動部材のうち少なくとも一方が回動する構成としたことから、再生装置１０Ａを小型化することができる。
【００４８】
ところで、上記第１の実施の形態では、支持アーム１８の回転角度θが０°の場合には光ピックアップ２０の向きはＹ方向に平行し且つＸ方向に垂直となるが、支持アーム１８がα１またはα２方向に振れて回転角度θが０°以外になると、それに応じて前記光ピックアップ２０自体の向きも半径方向を向くため、受光手段２２で捕えたホログラム情報の映像に前記回転角度θに起因する傾き角度が現れるようになる。このため、正確なホログラム情報を取得するには、前記回転角度θに起因する傾き角度を除去する工夫が必要となる。
【００４９】
なお、ホログラム情報をその向きがＸ方向またはＹ方向に沿うように記録するのではなく、あらかじめ前記半径方向に沿うように記録しておくことで正確なホログラム情報を取得することが可能となるが、この方法は極めて煩雑であるとおともに、他の再生装置で再生できなくなるので汎用性に欠ける結果となる。
【００５０】
そこで、以下には前記回転角度に起因する傾き角度を除去する画像処理を不要し、ホログラム情報の向きをＸ方向またはＹ方向に沿うよう（マトリックス状）に記録したままでも前記ホログラム情報を正しく取得することが可能な記録媒体の再生装置について説明する。
【００５１】
図３は本発明のホログラムを用いた記録媒体の再生装置として第２の実施の形態の一部を示す平面図、図４は記録媒体の再生装置の動作を説明するための部分拡大図である。なお、第１の実施の形態と同じ部材については同様の符号を付すこととする。
【００５２】
図３に示す記録媒体の再生装置１０Ｂも透過型の記録媒体に記録されたホログラム情報を読み出すものである。
【００５３】
前記再生装置１０Ｂは上記再生機構１０Ａとほぼ同様の構成であり、可動ベース１６と、この可動ベース１６に駆動力を与えて図示Ｙ１およびＹ２方向に移動させる第１の移動手段を有している。
【００５４】
ただし、可動ベース１６には一対の回転支持部材３１，３２が回転自在に支持されている点で異なっている。そして、前記回転支持部材３１は第１の支持アーム３３を有し、前記回転支持部材３２は第２の支持アーム３４を有しており、前記第１の支持アーム３３と第２の支持アーム３４とは互いに平行な状態で設けられている。
【００５５】
前記第１の支持アーム３３の先端には上下に分岐形成された上部アーム３３Ａと下部アーム３３Ｂが設けられ、同じく第２の支持アーム３４の先端には上下に分岐形成された上部アーム３４Ａと下部アーム３４Ｂが設けられている。
【００５６】
そして、前記第１の支持アーム３３の上部アーム３３Ａと第２の支持アーム３４の上部アーム３４Ａとの間で、且つこれらの下面には前記発光手段２１を収納したケース４０が支持されている。具体的には、前記上部アーム３３Ａ，３４Ａの下面には、下方に突出する支持ピン３３ａ，３４ａがそれぞれ形成されている。また前記ケース４０の上面には丸穴４１，４２が形成されている。前記支持ピン３３ａ，３４ａは前記丸穴４１，４２内にそれぞれ遊挿され、この状態で前記ケース４０が前記上部アーム３３Ａ，３４Ａに対し回動自在に支持されている。
【００５７】
あるいは前記上部アーム３３Ａ，３４Ａに一対の丸穴が形成され、前記ケース４０の上面に上方に延びる一対の支持ピンが突出形成されており、ケース４０側の各支持ピンが上部アーム３３Ａ，３４Ａ側の丸穴に挿入されることにより、ケース４０が上部アーム３３Ａ，３４Ａに対し回動自在に支持される構成であってもよい。
【００５８】
また前記第１の支持アーム３３の下部アーム３３Ｂと第２の支持アーム３４の下部アーム３４Ｂとの間で、これらの上面には上記ケース４０と同様に回動可能な可動台（図示せず）が設けられており、この可動台の中心には受光手段２２が設けられている。
【００５９】
すなわち、前記上部アーム３３Ａ，３４Ａに支持されたケース４０内に収納されている発光手段２１と、前記下部アーム３３Ｂ，３４Ｂに支持された可動台に設けられた受光手段２２とが、高さ方向において所定の距離を隔てて対向させられている。
【００６０】
前記回転支持部材３１の基部にはギヤ歯車３１ａが周設されており、この近傍には設けられた歯車３６が前記ギヤ歯車３１ａに噛み合わされている。そして、この歯車３６には図示しない駆動モータの駆動軸が直接または間接的に噛み合わされている。前記駆動モータが回転すると、その駆動力が前記歯車３６に伝達されるため、前記歯車３６に噛み合うギヤ歯車３１ａを備えた回転支持部材３１が回転させられる。よって、前記回転支持部材３１に設けられた第１の支持アーム３３が図示α１およびα２方向に回動させられる。このとき、前記第１の支持アーム３３の上部アーム３３Ａに対し一方の支持ピン３３ａを介して回動自在に支持されているケース４０も前記第１の支持アーム３３とともに図示α１またはα２方向に回動させられる。よって、他方の支持ピン３４ａが前記ケース４０の前記丸穴３４ａによって回動方向（α１またはα２方向）に押され、前記第２の支持アームの上部アーム３４Ａが前記上部アーム３３Ａに追従して同じα１方向またはα２方向に回動させられる。
【００６１】
そして、このように前記第１の支持アーム３３の上部アーム３３Ａと前記第２の支持アームの上部アーム３４Ａとが同じα１方向またはα２方向に回動すると、前記丸穴３４ａ，３４ｂ内では前記支持ピン３３ａ，３４ａの回転が許容されているため、光ピックアップ２０を収納したケース４０はその姿勢をＸ方向に保ちながら、つまり前記支持ピン３４ａと支持ピン３４ｂとを通る仮想線Ｐ−ＰをＸ方向に対し平行となる状態を維持しながら図示α１方向またはα２方向に回動することができる。
【００６２】
さらに前記第１の支持アーム３３の下部アーム３３Ｂと前記第２の支持アームの上部アーム３４Ｂも同様であり、受光手段２２を搭載した可動台もその姿勢をＸ方向に保ちながら図示α１方向またはα２方向に回動させられる。
【００６３】
このため、ホログラム情報の向きがＸ方向またはＹ方向（マトリックス状）に沿って前記記録媒体１１に記録されていたとしても、前記光ピックアップ２０は前記ホログラム情報を正確に読み出すことが可能である。
【００６４】
なお、第２の実施の形態に示す記録媒体の再生装置においても、上記第１の実施の形態の場合同様に、アドレスを指定することにより、前記光ピックアップ２０を構成するケース４０と可動体を記録媒体１１上の任意の記録位置Ｍに移動させることが可能である。
【００６５】
そして、光ピックアップ２０内に搭載されている光走査器のミラー角度を調整することにより、前記任意の記録位置Ｍの所定ページに記録されているホログラム情報を読み出すことができる。
【００６６】
なお、上記いずれの実施の形態においても、上部アーム側に発光手段２１を設け、下部アーム側に受光手段２２を設けた構成を示したが、本発明はこれに限られるものではなく、これとは反対に前記上部アーム側に受光手段を設け、下部アーム側に発光手段を設けた構成であってもよい。
【００６７】
また上記実施の形態では、再生装置に採用した場合について説明したが、本発明はこれに限られるものではなく、記録装置に採用することも可能である。
【図面の簡単な説明】
【００６８】
【図１】本発明のホログラムを用いた記録媒体の再生装置として第１の実施の形態の一部を示す平面図、
【図２】図１の２−２線における断面図、
【図３】本発明のホログラムを用いた記録媒体の再生装置として第２の実施の形態の一部を示す平面図、
【図４】記録媒体の再生装置の動作を説明するための部分拡大図、
【符号の説明】
【００６９】
１０Ａ，１０Ｂ  再生装置
１１  記録媒体
１３  保持部材
１４  スクリュー軸
１５  ガイド部材
１６  可動ベース
１７  回転支持部材
１８  支持アーム
１８Ａ  上部アーム
１８Ｂ  下部アーム
１９  駆動モータ
２０  光ピックアップ
２１  発光手段
２１Ａ  ケース
２２  受光手段
３１，３２  回転支持部材
３３  第１の支持アーム
３４  第２の支持アーム
３３ａ，３４ａ  支持ピン
３３Ａ，３４Ａ  上部アーム
３３Ｂ，３４Ｂ  下部アーム
４０  ケース
４１，４２  丸穴
Ｍ，Ｍａ１，Ｍｂ２  記録位置
【図１】
2006228279.tif 000003
【図２】
2006228279.tif 000004
【図３】
2006228279.tif 000005
【図４】
2006228279.tif 000006